(57)【要約】【課題】警告色が長期間にわたってストラップ上に保持されることが可能な構成を備えたストラップを提供する。【解決手段】ロック装置を備えた車両用シート１の開口部５を通して引き出し可能に配置されるストラップ１０は、先端部１２と、本体部１１と、本体部１１に設けられ本体部１１とは異なる色からなる警告色で染色または着色されている繊維部材１４とを備える。繊維部材１４は、ロック装置８がロック状態を形成している場合には車両用シート１の内部に配置されて車両用シート１の外部から視認不能とされ、ロック装置８がアンロック状態を形成している場合には開口部５を通して車両用シート１の外部に配置されて車両用シート１の外部から視認可能とされる。【選択図】図１
2020001485.tif 000002
【特許請求の範囲】
【請求項１】
ロック装置を備えた車両用シートの開口部を通して引き出し可能に配置されるストラップであって、
先端部と、
前記ロック装置に直接的または間接的に接続される根元部と、
前記先端部と前記根元部との間に位置する本体部と、
前記本体部に設けられ、前記本体部とは異なる色からなる警告色で染色または着色されている繊維部材と、を備え、
前記繊維部材は、前記ロック装置がロック状態を形成している場合には前記車両用シートの内部に配置されて前記車両用シートの外部から視認不能とされ、前記ロック装置がアンロック状態を形成している場合には前記開口部を通して前記車両用シートの外部に配置されて前記車両用シートの外部から視認可能とされる、
ストラップ。
【請求項２】
前記繊維部材は、糸状の形状を有し、前記本体部を構成している帯状の布部材に縫い込まれている、
請求項１に記載のストラップ。
【請求項３】
前記繊維部材は、布地状の形状を有し、前記本体部を構成している帯状の布部材に縫い合わされている、
請求項１に記載のストラップ。
【請求項４】
前記繊維部材は、所定面積を有する矩形状の形状を呈している、
請求項２または３に記載のストラップ。
【請求項５】
前記本体部は、表面および裏面を有し、
前記繊維部材は、前記表面および前記裏面の双方に設けられている、
請求項１から４のいずれか１項に記載のストラップ。
【請求項６】
前記繊維部材は、所定の文字列を描くように前記本体部に設けられている、
請求項１から５のいずれか１項に記載のストラップ。
【発明の詳細な説明】
【技術分野】
【０００１】
本開示は、ロック装置を備えた車両用シートに設けられるストラップに関する。
【背景技術】
【０００２】
下記の特許文献１に開示されているように、車両用シートにはリクライニング機構などのロック装置が設けられる。このロック装置は、ボタンに対する押圧動作やストラップに対する引っ張り動作を介して作動力を受け付けることにより、ロック状態をアンロック状態に切り替える。ボタンやストラップは、乗員等が操作しやすい位置、あるいは乗員等が視認しやすい位置（たとえばシートバックの上部）に配置される。
【先行技術文献】
【特許文献】
【０００３】
【特許文献１】米国特許第５８２９８３１号明細書
【発明の概要】
【発明が解決しようとする課題】
【０００４】
車両用シートには開口部が設けられており、ロック装置を作動させるためのストラップは、この開口部を通して引き出し可能に配置される。ロック装置がロック状態を形成している場合には、ストラップのうち、たとえば先端部寄りの第１長さを有する部分が開口部から外部に向けて突出する。ロック装置がアンロック状態を形成している場合には、ストラップのうち、先端部寄りの第２長さ（第２長さ＞第１長さ）を有する部分が開口部から外部に向けて突出する。
【０００５】
アンロック状態の場合には、ロック状態の場合に比べてストラップは開口部からより長く突出する。乗員等は、開口部からのストラップの突出長さに基づいて、アンロック状態であるかロック状態であるかを判断できる。この判断を乗員等がより容易に行なうことを可能とするためには、ストラップの一部分に警告色を塗装によって付加し、ロック状態の場合にはこの警告色が開口部を通してシート内部に埋没して外部から視認不能とされ、アンロック状態の場合にはこの警告色が開口部を通してシート外部に配置されて視認可能とすることが考えられる。
【０００６】
ロック状態とアンロック状態とが切り替えられる際には、ストラップのうちの警告色が設けられた部分は、開口部から引き出されたり引き込まれたりする。ストラップに警告色が塗装によって付加されている場合には、ストラップが繰り返し使用されることで塗装部分が開口部の内周縁に摺接し、徐々に塗装部分がストラップから剥がれ落ちてしまうこと（塗装部分に色褪せが生じてしまうこと）が考えられる。
【０００７】
本開示は、警告色が長期間にわたってストラップ上に保持されることが可能な構成を備えたストラップを提供することを目的とする。
【課題を解決するための手段】
【０００８】
本開示のストラップは、ロック装置を備えた車両用シートの開口部を通して引き出し可能に配置されるストラップであって、先端部と、上記ロック装置に直接的または間接的に接続される根元部と、上記先端部と上記根元部との間に位置する本体部と、上記本体部に設けられ、上記本体部とは異なる色からなる警告色で染色または着色されている繊維部材と、を備え、上記繊維部材は、上記ロック装置がロック状態を形成している場合には上記車両用シートの内部に配置されて上記車両用シートの外部から視認不能とされ、上記ロック装置がアンロック状態を形成している場合には上記開口部を通して上記車両用シートの外部に配置されて上記車両用シートの外部から視認可能とされる。
【０００９】
上記ストラップにおいては、上記繊維部材は、糸状の形状を有し、上記本体部を構成している帯状の布部材に縫い込まれていてもよい。
【００１０】
上記ストラップにおいては、上記繊維部材は、布地状の形状を有し、上記本体部を構成している帯状の布部材に縫い合わされていてもよい。
【００１１】
上記ストラップにおいては、上記繊維部材は、所定面積を有する矩形状の形状を呈していてもよい。
【００１２】
上記ストラップにおいては、上記本体部は、表面および裏面を有し、上記繊維部材は、上記表面および上記裏面の双方に設けられていてもよい。
【００１３】
上記ストラップにおいては、上記繊維部材は、所定の文字列を描くように上記本体部に設けられていてもよい。
【発明の効果】
【００１４】
上記構成によれば、警告色が長期間にわたってストラップ上に保持されることが可能な構成を備えたストラップとすることができる。
【図面の簡単な説明】
【００１５】
【図１】実施の形態１におけるストラップ１０を備えた車両用シート１を示す斜視図である。
【図２】図１中におけるＩＩ−ＩＩ線に沿った矢視断面図である。
【図３】実施の形態１におけるストラップ１０を示す斜視図である。
【図４】ロック状態Ｓ２を形成している車両用シート１を示す断面図である。
【図５】実施の形態２におけるストラップ１０Ａを示す正面図である。
【図６】実施の形態３におけるストラップ１０Ｂを示す正面図である。
【図７】実施の形態４におけるストラップ１０Ｃを示す正面図である。
【発明を実施するための形態】
【００１６】
発明を実施するための形態について、以下、図面を参照しながら説明する。以下の説明において同一の部品および相当部品には同一の参照番号を付し、重複する説明は繰り返さない場合がある。
【００１７】
［実施の形態１］
図１は、実施の形態１におけるストラップ１０を備えた車両用シート１を示す斜視図である。車両用シート１は、シートバック２、バックボード３、ヘッドレスト４、リクライニング機構８、およびストラップ１０を備える。バックボード３はシートバック２の背面側に設けられ、ヘッドレスト４はシートバック２の上部に設けられる。
【００１８】
シートバック２の下端は図示しないロック装置としてのリクライニング機構８により支持されている。リクライニング機構８は、シートバック２の内部に設けられる。バックボード３の上面には開口部５が設けられており、ストラップ１０は開口部５を通してシートバック２の内部から外部に向かって引き出し可能に配置されている。
【００１９】
図２は、図１中におけるＩＩ−ＩＩ線に沿った矢視断面図である。図３は、ストラップ１０を示す斜視図である。ストラップ１０は、本体部１１、先端部１２、根元部１３および繊維部材１４を有する。本実施の形態のストラップ１０は、帯状の布部材が先端部１２の位置で折り返されることで扁平な形状に構成されており、本体部１１は、表面１１ｓ側に位置する帯状部分１１ａと、裏面１１ｔ側に位置する帯状部分１１ｂとが互いに重ね合わされることで構成されている。
【００２０】
繊維部材１４は本体部１１に設けられる。繊維部材１４は、本体部１１とは異なる色からなる警告色で染色または着色して構成されている。繊維部材１４の色はたとえば赤色である。本実施の形態の繊維部材１４は、糸状の形状を有しており、互いに重ね合わされた帯状部分１１ａ，１１ｂの双方を貫通するように、本体部１１を構成しているこれらの帯状の布部材に縫い込まれている。
【００２１】
すなわち本実施の形態の繊維部材１４は、本体部１１の表面１１ｓと本体部１１の裏面１１ｔとの双方に設けられており、表面１１ｓ側からも裏面１１ｔ側からも繊維部材１４を視認可能である。図３に示すように、繊維部材１４は全体として、所定面積を有する矩形状の形状を呈しているとよい。
【００２２】
図２に示すように、ストラップ１０の根元部１３はリクライニング機構８に直接的または間接的に接続されている。本体部１１は、先端部１２と根元部１３との間に位置しており、ローラー１５等により本体部１１の移動がガイドされる。図２では、リクライニング機構８がアンロック状態Ｓ１を形成しており、車両用シート１のシートバック２が前傾および後傾可能（すなわちリクライニング可能）である様子を示している（図１における矢印ＡＲ参照）。
【００２３】
図４は、ロック状態Ｓ２を形成している車両用シート１を示す断面図である。図２および図４に示すように、リクライニング機構８がロック状態Ｓ２（図４）を形成している場合には、繊維部材１４は車両用シート１（シートバック２）の内部に配置されて車両用シート１の外部から視認不能とされ、一方で、リクライニング機構８がアンロック状態Ｓ１（図２）を形成している場合には、繊維部材１４は開口部５を通して車両用シート１の外部に配置され車両用シート１の外部から視認可能とされる。
【００２４】
（作用および効果）
ロック状態Ｓ２とアンロック状態Ｓ１とが切り替えられる際には、ストラップ１０のうちの警告色が設けられた部分、すなわち繊維部材１４が、開口部５から引き出されたり引き込まれたりする。本実施の形態においては、この警告色が繊維部材１４から構成されているため、ストラップ１０が繰り返し使用されることで繊維部材１４が開口部５の内周縁に摺接したとしても、警告色がストラップ１０から剥がれ落ちてしまうことを塗装の場合に比べて抑制可能となる。すなわち本実施の形態のストラップ１０によれば、警告色が長期間にわたってストラップ１０上に保持されることが可能な構成を備えたストラップとすることができる。
【００２５】
また、アンロック状態の際にストラップ１０が開口部５から長く引き出されていたとしても、繊維部材１４の剛性は、ストラップ１０が鉛直方向に沿って自立することを助けることもできる。乗員等は、より容易にアンロック状態であるかロック状態であるかを判断することが可能となっている。
【００２６】
［実施の形態２］
図５は、実施の形態２におけるストラップ１０Ａを示す正面図である。実施の形態２においては、繊維部材１４が全体として布地状または不織布状の形状を有しており、本体部１１を構成している帯状の布部材に縫い合わされる。本体部１１の表面１１ｓおよび裏面１１ｔの双方にこのような繊維部材１４が縫い合わされるとよい。このような繊維部材１４は、接着剤等によって本体部１１に接合されていてもよい。当該構成によっても、塗装の場合に比べて警告色が長期間にわたってストラップ１０上に保持されることが可能な構成を備えたストラップとすることができる。
【００２７】
［実施の形態３］
図６は、実施の形態３におけるストラップ１０Ｂを示す正面図である。実施の形態３においては、繊維部材１４が糸状の形状を有しており、線状の模様を描くように本体部１１上に縫い込まれている。実施の形態３では実施の形態１の場合とは異なり、繊維部材１４が面状の形状を呈するようには縫い込まれていない。実施の形態１〜３の各種パターンのうち、仕様などに応じてより視認しやすいような最適なデザインを採用するとよい。当該構成によっても、塗装の場合に比べて警告色が長期間にわたってストラップ１０上に保持されることが可能な構成を備えたストラップとすることができる。
【００２８】
［実施の形態４］
図７は、実施の形態４におけるストラップ１０Ｃを示す正面図である。実施の形態４においては、繊維部材１４が糸状の形状を有しており、所定の文字列を描くように本体部１１に設けられている。当該構成によっても、塗装の場合に比べて警告色が長期間にわたってストラップ１０上に保持されることが可能な構成を備えたストラップとすることができる。所定の文字列が持つ意味によって、ユーザがより容易にアンロック状態であるかロック状態であるかを判断することも可能となる。繊維部材１４によって表される意味を仕様等に応じて最適化するとよい。
【００２９】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００３０】
１  車両用シート、２  シートバック、３  バックボード、４  ヘッドレスト、５  開口部、８  リクライニング機構（ロック装置）、１０，１０Ａ，１０Ｂ，１０Ｃ  ストラップ、１１  本体部、１１ａ，１１ｂ  帯状部分、１１ｓ  表面、１１ｔ  裏面、１２  先端部、１３  根元部、１４  繊維部材、ＡＲ  矢印、Ｓ１  アンロック状態、Ｓ２  ロック状態。
【図１】
2020001485.tif 000003
【図２】
2020001485.tif 000004
【図３】
2020001485.tif 000005
【図４】
2020001485.tif 000006
【図５】
2020001485.tif 000007
【図６】
2020001485.tif 000008
【図７】
2020001485.tif 000009